(57)【要約】      （修正有）【課題】遅延時間を短くすることができる表示装置を得る。【解決手段】フレームレート変換部と、フレームレート変換された映像を表示する液晶表示部と、間欠的に発光するバックライトと、バックライトの発光タイミングが互いに異なる複数の動作モードを有するバックライト制御部とを備えて、前記フレームレート変換部は、一の動作モードにおいて、フレーム画像と同じ複数のサブフレーム画像を生成することによりフレームレート変換を行い、前記バックライト制御部は、前記一の動作モードにおいて、前記バックライトの一の発光期間の中心を、前記液晶表示部が前記複数のサブフレーム画像を表示する表示期間の中心よりも前に設定する。【選択図】図７
2013029563.tif 000002
【特許請求の範囲】
【請求項１】
フレームレート変換部と、
フレームレート変換された映像を表示する液晶表示部と、
間欠的に発光するバックライトと、
前記バックライトの発光タイミングが互いに異なる複数の動作モードを有するバックライト制御部と
を備えた
表示装置。
【請求項２】
前記フレームレート変換部は、一の動作モードにおいて、フレーム画像と同じ複数のサブフレーム画像を生成することによりフレームレート変換を行い、
前記バックライト制御部は、前記一の動作モードにおいて、前記バックライトの一の発光期間の中心を、前記液晶表示部が前記複数のサブフレーム画像を表示する表示期間の中心よりも前に設定する
請求項１に記載の表示装置。
【請求項３】
前記一の発光期間の中心は、前記表示期間における、前記液晶表示部が前記複数のサブフレーム画像のうちの先頭のサブフレーム画像を表示する先頭表示期間内にある
請求項２に記載の表示装置。
【請求項４】
前記バックライト制御部は、前記一の動作モードにおいて、前記一の発光期間におけるメイン発光量以下のサブ発光量で発光する、前記一の発光期間とは異なるサブ発光期間をも設定する
請求項２に記載の表示装置。
【請求項５】
前記サブ発光期間の開始タイミングは、前記一の動作モードにおいて、前記一の発光期間の開始タイミングと、前記表示期間の半分の時間ずれている
請求項４に記載の表示装置。
【請求項６】
一連のフレーム画像における動きベクトルを検出する動きベクトル検出部を備え、
前記バックライト制御部は、前記動きベクトルに基づいて、前記メイン発光量および前記サブ発光量をそれぞれ制御する
請求項４に記載の表示装置。
【請求項７】
前記バックライト制御部は、前記フレーム画像の輝度情報に基づいて、前記メイン発光量および前記サブ発光量をそれぞれ制御する
請求項４に記載の表示装置。
【請求項８】
前記バックライト制御部は、前記一の動作モードにおいて、前記一の発光期間の開始タイミングおよび前記サブ発光期間の開始タイミングをそれぞれ維持するように制御する
請求項６に記載の表示装置。
【請求項９】
前記バックライト制御部は、複数の前記表示期間にわたり、徐々に前記メイン発光量および前記サブ発光量をそれぞれ変化させるように制御する
請求項６に記載の表示装置。
【請求項１０】
前記バックライト制御部は、前記メイン発光量および前記サブ発光量の和を一定に制御する
請求項６に記載の表示装置。
【請求項１１】
前記バックライト制御部は、前記メイン発光量および前記サブ発光量を、前記発光期間の長さおよび前記サブ発光期間の長さによりそれぞれ制御する
請求項６に記載の表示装置。
【請求項１２】
前記バックライト制御部は、前記メイン発光量および前記サブ発光量を、前記バックライトの発光輝度により制御する
請求項６に記載の表示装置。
【請求項１３】
前記フレームレート変換部は、前記一の動作モードとは異なる他の動作モードにおいて、フレーム画像と同じ複数のサブフレーム画像を生成することによりフレームレート変換を行い、
前記バックライト制御部は、前記他の動作モードにおいて、前記バックライトの他の発光期間の中心を、前記液晶表示部が前記複数のサブフレーム画像を表示する表示期間の中心よりも後に設定する
請求項２に記載の表示装置。
【請求項１４】
前記バックライト制御部は、前記他の動作モードにおいて、前記他の発光期間における他のメイン発光量以下の他のサブ発光量で発光する、前記他の発光期間とは異なる他のサブ発光期間をも設定し、前記他の発光期間の終了タイミングおよび前記他のサブ発光期間の終了タイミングをそれぞれ維持するように制御する
請求項１３に記載の表示装置。
【請求項１５】
前記液晶表示部は線順次走査により表示を行い、
前記バックライトは、その線順次走査方向に分割された複数のサブ発光部を有し、
前記バックライト制御部は、前記サブ発光部ごとに前記一の発光期間の中心を設定し、
前記表示期間は、フレーム画像から生成された最初のサブフレーム画像に係る走査が、前記液晶表示部の各サブ発光部に対応する表示領域における線順次走査方向の中心である中心位置に達したタイミングからそれぞれ開始し、次のフレーム画像から生成された最初のサブフレーム画像に係る走査が、前記中心位置に達したタイミングにおいてそれぞれ終了する
請求項２に記載の表示装置。
【請求項１６】
前記液晶表示部は線順次走査により表示を行い、
前記表示期間は、フレーム画像から生成された最初のサブフレーム画像に係る走査が、前記液晶表示部における線順次走査方向の中心である中心位置に達したタイミングから開始し、次のフレーム画像から生成された最初のサブフレーム画像に係る走査が、前記中心位置に達したタイミングにおいて終了する
請求項２に記載の表示装置。
【請求項１７】
フレーム画像と同じ複数のサブフレーム画像を生成することによりフレームレート変換を行うフレームレート変換部と、
フレームレート変換された映像を表示する液晶表示部と、
間欠的に発光するバックライトと、
一の動作モードにおいて、前記バックライトの一の発光期間の中心を、前記液晶表示部が前記複数のサブフレーム画像を表示する表示期間の中心よりも前になるように、前記バックライトを制御するバックライト制御部と
を備えた
表示装置。
【請求項１８】
前記一の発光期間の中心は、前記液晶表示部が、前記複数のサブフレーム画像のうちの先頭のサブフレーム画像を表示する先頭表示期間内にある
請求項１７に記載の表示装置。
【請求項１９】
発光タイミングを変更可能なバックライトが間欠的に発光し、フレームレート変換された映像を液晶表示部において表示する
表示方法。
【発明の詳細な説明】
【技術分野】
【０００１】
本開示は、液晶表示素子を用いた表示装置、およびその表示方法に関する。
【背景技術】
【０００２】
近年、表示装置においては、ＣＲＴ（Cathode Ray Tube）表示装置から液晶表示装置への置き換えが進んでいる。液晶表示装置は、ＣＲＴ表示装置に比べて薄くできるため省スペースを実現しやすく、また、消費電力が低いためエコロジーの観点からもメリットがある。
【０００３】
液晶表示装置は、画素の状態が１フレームの間保持し続ける、いわゆるホールド型の表示デバイスである。よって、観察者は、このような表示装置に表示された動体を観察する場合、いわゆるホールドぼけが生じ、画質が劣化したように感じてしまう。このホールドぼけを改善するために、バックライトを間欠点灯させる方法（バックライトブリンキング）がしばしば用いられる（例えば、特許文献１など）。具体的には、例えば、バックライトを消灯した状態で液晶表示素子に画素信号を書き込み、フレーム期間の後半において、液晶がほぼ応答した後にバックライトを点灯する。これにより、その液晶表示装置は、ＣＲＴのようなインパルス型の表示を行うこととなり、ホールドぼけを低減することができる。
【０００４】
ところで、表示装置における画質向上のための映像信号処理の一つに、フレーム補間を用いたフレームレート変換がある。このフレームレート変換は、入力された映像における互いに隣接するフレームを補間した補間フレームを生成し、入力された映像にその補間フレームを追加するものである（例えば、特許文献１など）。これにより、表示された映像は、より滑らかな映像になるとともに、例えば液晶表示装置を用いた場合には上述したホールドぼけが低減され、その画質が向上するようになる。
【先行技術文献】
【特許文献】
【０００５】
【特許文献１】特開２０１１−１３５５８号公報
【発明の概要】
【発明が解決しようとする課題】
【０００６】
ところで、一般に表示装置には、映像信号が供給されてから、実際に映像が表示されるまでの遅延時間を短くすることが望まれている。この場合、例えば、一般に処理に時間を要するフレーム補間処理によりフレームレート変換を行う代わりに、同じフレーム画像を繰り返すことによりフレームレート変換を行うことが考えられる。しかしながら、例えば表示物が高速で移動するようなゲーム用途などのいくつかの用途では、遅延時間のさらなる低下が望まれている。
【０００７】
本開示はかかる問題点に鑑みてなされたもので、その目的は、映像信号が供給されてから、実際に映像が表示されるまでの遅延時間を短くすることができる表示装置および表示方法を提供することにある。
【課題を解決するための手段】
【０００８】
本開示の第１の表示装置は、フレームレート変換部と、液晶表示部と、バックライトと、バックライト制御部とを備えている。液晶表示部は、フレームレート変換された映像を表示するものである。バックライトは、間欠的に発光するものである。バックライト制御部は、バックライトの発光タイミングが互いに異なる複数の動作モードを有するものである。
【０００９】
本開示の第２の表示装置は、フレームレート変換部と、液晶表示部と、バックライトと、バックライト制御部とを備えている。フレームレート変換部は、フレーム画像と同じ複数のサブフレーム画像を生成することによりフレームレート変換を行うものである。液晶表示部は、フレームレート変換された映像信号を表示するものである。バックライトは、間欠的に発光するものである。バックライト制御部は、一の動作モードにおいて、バックライトの一の発光期間の中心を、液晶表示部が複数のサブフレーム画像を表示する表示期間の中心よりも前になるように、バックライトを制御するものである。
【００１０】
本開示の表示方法は、発光タイミングを変更可能なバックライトが間欠的に発光し、フレームレート変換された映像を液晶表示部において表示するものである。
【００１１】
本開示の第１の表示装置および表示方法では、間欠的にバックライトが発光し、フレームレート変換により生成されたサブフレーム画像が、液晶表示部に複数回ずつ繰り返して表示される。このバックライトの発光タイミングは変更可能に構成されている。
【００１２】
本開示の第２の表示装置では、間欠的にバックライトが発光し、フレームレート変換により生成されたサブフレーム画像が、液晶表示部に複数回ずつ繰り返して表示される。このバックライトの発光期間の中心は、所定の動作モードにおいて、表示期間の中心よりも前になるように制御される。
【発明の効果】
【００１３】
本開示の第１の表示装置および表示方法によれば、バックライトの発光タイミングを変更可能にしたので、映像信号が供給されてから、実際に映像が表示されるまでの遅延時間を短くすることができる。
【００１４】
本開示の第２の表示装置によれば、バックライトの発光期間の中心を、表示期間の中心よりも前になるようしたので、映像信号が供給されてから、実際に映像が表示されるまでの遅延時間を短くすることができる。
【図面の簡単な説明】
【００１５】
【図１】本開示の第１の実施の形態に係る表示装置の一構成例を表すブロック図である。
【図２】図１に示した表示駆動部の一構成例を表すブロック図である。
【図３】図２に示した画素の一構成例を表す回路図である。
【図４】図１に示したバックライトの一構成例を表す平面図である。
【図５】図１に示した表示装置の一動作例を表すタイミング波形図である。
【図６】図１に示した表示装置の他の動作例を表すタイミング波形図である。
【図７】図１に示した表示装置の他の動作例を表すタイミング波形図である。
【図８】第１の実施の形態の変形例に係る表示装置の一動作例を表すタイミング波形図である。
【図９】第１の実施の形態の他の変形例に係る表示装置の一動作例を表すタイミング波形図である。
【図１０】第１の実施の形態の他の変形例に係る表示装置の他の動作例を表すタイミング波形図である。
【図１１】第１の実施の形態の他の変形例に係るバックライトの一構成例を表す平面図である。
【図１２】第１の実施の形態の他の変形例に係る表示装置の一動作例を表すタイミング波形図である。
【図１３】第１の実施の形態の他の変形例に係る表示装置の他の動作例を表すタイミング波形図である。
【図１４】第１の実施の形態の他の変形例に係る表示装置の他の動作例を表すタイミング波形図である。
【図１５】第２の実施の形態に係る表示装置の一構成例を表すブロック図である。
【図１６】図１５に示した明るさヒストグラム信号を説明するヒストグラムである。
【図１７】図１５に示した表示装置の一動作例を表すタイミング波形図である。
【図１８】図１５に示した表示装置の他の動作例を表すタイミング波形図である。
【図１９】図１５に示したバックライト駆動部の一動作例を表す流れ図である。
【図２０】図１５に示したバックライト駆動部の他の動作例を表すタイミング波形図である。
【図２１】第２の実施の形態の変形例に係る表示装置の一動作例を表すタイミング波形図である。
【発明を実施するための形態】
【００１６】
以下、本開示の実施の形態について、図面を参照して詳細に説明する。なお、説明は以下の順序で行う。
１．第１の実施の形態
２．第２の実施の形態
【００１７】
＜１．第１の実施の形態＞
［構成例］
（全体構成例）
図１は、第１の実施の形態に係る表示装置１の一構成例を表すものである。表示装置１は、液晶表示素子により構成された液晶表示装置である。なお、本開示の実施の形態に係る表示方法は、本実施の形態により具現化されるので、併せて説明する。
【００１８】
表示装置１は、映像信号処理部１１と、フレームレート変換部１２と、表示駆動部２０と、液晶表示部３０と、ボード設定部１３と、バックライト駆動部１４と、バックライト４０とを備えている。
【００１９】
映像信号処理部１１は、映像信号Ｓdispに対して、コントラスト強調、エッジ強調、インターレース／プログレッシブ変換、スケーリング（画サイズ変換）などの映像信号処理を施し、映像信号Ｓdisp1として出力するものである。
【００２０】
フレームレート変換部１２は、映像信号処理部１１から供給された映像信号Ｓdisp1に基づいて、フレームレート変換を行い、映像信号Ｓdisp2として出力するものである。このフレームレート変換は、この例では、毎秒６０フレームから毎秒２４０フレームへ、フレームレートを４倍に変換するものである。その際、フレームレート変換部１２は、フレーム補間処理を行わず、同じフレーム画像を繰り返すことによりフレームレート変換するようになっている。すなわち、フレームレート変換部１２では、時間を要するフレーム補間処理を行わないため、短い処理時間でフレームレート変換を実現できるようになっている。また、フレームレート変換部１２は、バックライト駆動部１４に対して、同期信号Ｓsyncを供給する機能も有している。
【００２１】
表示駆動部２０は、フレームレート変換部１２から供給される映像信号Ｓdisp2に基づいて、液晶表示部３０を駆動するものである。液晶表示部３０は、液晶表示素子により構成された表示部であり、バックライト４０から射出した光を変調することにより表示を行うようになっている。この例では、液晶表示部３０は、いわゆる４倍速駆動に対応した液晶表示パネルである。
【００２２】
図２は、表示駆動部２０および液晶表示部３０のブロック図の一例を表すものである。  表示駆動部２０は、タイミング制御部２１と、ゲートドライバ２２と、データドライバ２３とを備えている。タイミング制御部２１は、ゲートドライバ２２およびデータドライバ２３の駆動タイミングを制御するとともに、フレームレート変換部１２から供給された映像信号Ｓdisp2を映像信号Ｓdisp3としてデータドライバ２３へ供給するものである。ゲートドライバ２２は、タイミング制御部２１によるタイミング制御に従って、液晶表示部３０内の画素Ｐixを行ごとに順次選択して、線順次走査するものである。データドライバ２３は、液晶表示部３０の各画素Ｐixへ、映像信号Ｓdisp3に基づく画素信号を供給するものである。具体的には、データドライバ２３は、映像信号Ｓdisp3に基づいてＤ／Ａ（デジタル／アナログ）変換を行うことにより、アナログ信号である画素信号を生成し、各画素Ｐixへ供給するようになっている。
【００２３】
液晶表示部３０は、例えばガラスなどから構成される２枚の透明基板の間に液晶材料を封入したものである。これらの透明基板の液晶材料に面した部分には、例えばＩＴＯ（Indium Tin Oxide）などから構成される透明電極が形成され、液晶材料とともに画素Ｐixを構成している。液晶表示部３０には、図２に示したように、画素Ｐixがマトリックス状に配置されている。
【００２４】
図３は、画素Ｐixの回路図の一例を表すものである。画素Ｐixは、ＴＦＴ（Thin Film Transistor）素子Ｔｒと、液晶素子ＬＣと、保持容量素子Ｃｓとを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃｓの一端に接続されている。液晶素子ＬＣは、一端がＴＦＴ素子Ｔｒのドレインに接続され、他端は接地されている。保持容量素子Ｃｓは、一端がＴＦＴ素子Ｔｒのドレインに接続され、他端は保持容量線ＣＳＬに接続されている。ゲート線ＧＣＬはゲートドライバ２２に接続され、データ線ＳＧＬはデータドライバ２３に接続されている。
【００２５】
モード設定部１３は、ユーザが、表示装置１の動作モードを設定するものである。具体的には、モード設定部１３は、例えば、ＯＳＤ（On Screen Display）などを用いたユーザインタフェース（ＵＩ）により、動作モードの一覧を表示し、ユーザがその一覧から動作モードを選択するようになっている。動作モードとしては、この例では、画質優先モードＭ１および遅延時間優先モードＭ２が準備されている。画質優先モードＭ１および遅延時間優先モードＭ２は、後述するように、バックライトの発光タイミングが互いに異なるものである。そして、モード設定部１３は、ユーザが選択した動作モードを示す動作モード信号Ｓmodeをバックライト駆動部１４に供給するようになっている。
【００２６】
バックライト駆動部１４は、フレームレート変換部１２から供給される同期信号Ｓsync、およびモード設定部１３から供給される動作モード信号Ｓmodeに基づいて、バックライト４０を駆動するものである。
【００２７】
バックライト４０は、バックライト駆動部１４から供給される駆動信号に基づいて間欠的に発光（ブリンキング）し、液晶表示部３０に対してその光を射出するものである。
【００２８】
図４は、バックライト４０の一構成例を表すものである。バックライト４０は、いわゆるラインスキャン型バックライトであり、液晶表示部３０の線順次走査方向に並設された複数（この例では８つ）の発光部ＢＬ１〜ＢＬ８を有している。各発光部ＢＬ１〜ＢＬ８には、それぞれ、複数のＬＥＤ（Light Emitting Diode）４２が並設されている。なお、発光部ＢＬ１〜ＢＬ８はこの構成に限定されるものではなく、例えばＣＣＦＬ（Cold Cathode Fluorescent Lamp）により構成してもよい。
【００２９】
この構成により、バックライト駆動部１４は、バックライト４０を、各発光部ＢＬ１〜ＢＬ８に対応する領域Ｚ１〜Ｚ８ごとに独立して発光制御することができる。これにより、表示装置１では、液晶表示部３０の表示面における、対応する領域Ｚ１〜Ｚ８ごとに、独立したタイミングで表示が行われるようになっている。
【００３０】
ここで、遅延時間優先モードＭ２は、本開示における「一の動作モード」の一具体例に対応する。画質優先モードＭ１は、本開示における「他の動作モード」の一具体例に対応する。
【００３１】
［動作および作用］
続いて、本実施の形態の表示装置１の動作および作用について説明する。
【００３２】
（全体動作概要）
まず、図１を参照して、表示装置１の全体動作概要を説明する。映像信号処理部１１は、映像信号Ｓdispに対して、所定の映像信号処理を行い、その結果を映像信号Ｓdisp1として出力する。フレームレート変換部１２は、映像信号Ｓdisp1に対してフレームレート変換を行い、映像信号Ｓdisp2として出力するとともに、その映像信号Ｓdisp2に同期した同期信号Ｓsyncを生成する。表示駆動部２０は、映像信号Ｓdisp2に基づいて、液晶表示部３０を駆動する。モード設定部１３は、ユーザからの指示に基づき、表示装置１の動作モードを設定し、動作モード信号Ｓmodeを生成する。バックライト駆動部１４は、同期信号Ｓsyncと動作モード信号Ｓmodeに基づいて、バックライト４０を駆動する。バックライト４０は、バックライト駆動部１４から供給される駆動信号に基づいて発光し、液晶表示部３０に対してその光を射出する。液晶表示部３０は、バックライト４０から射出した光を変調することにより表示を行う。
【００３３】
（詳細動作）
次に、画質優先モードＭ１および遅延時間優先モードＭ２における、表示装置１の詳細動作を以下に説明する。
【００３４】
図５は、画質優先モードＭ１における表示動作のタイミング図を表すものであり、（Ａ）は液晶表示部３０の動作を示し、（Ｂ）はバックライト４０の動作を示す。図５（Ａ）の縦軸は、液晶表示部３０の線順次走査方向の走査位置を示している。図５（Ａ）において、例えば、“Ｆ(n)”は液晶表示部３０がｎ番目のフレーム画像Ｆ(n)の表示を行っている状態を示し、“Ｆ(n+1)”は液晶表示部３０がｎ＋１番目のフレーム画像Ｆ(n+1)の表示を行っている状態を示している。また、図５（Ｂ）において、“ＯＮ”はバックライト４０の各発光部ＢＬ１〜ＢＬ８が点灯している状態を示し、“ＯＦＦ”はバックライト４０の各発光部ＢＬ１〜ＢＬ８が消灯している状態を示している。
【００３５】
表示装置１では、例えば１６．７［msec］（＝１／６０［Ｈｚ］）の周期Ｔ０でフレーム画像が供給され、フレームレート変換部１２が、フレームレートを４倍に変換し、４．２［msec］（＝１／６０［Ｈｚ］／４）の周期Ｔ１で、フレームレート変換した各フレーム画像（サブフレーム画像）を出力する。そして、液晶表示部３０は、このフレームレート変換された各フレーム画像を表示するとともに、バックライト４０がこの表示に同期して発光する。以下に、その詳細を説明する。
【００３６】
まず、タイミングｔ０〜ｔ１の期間において、液晶表示部３０は、表示駆動部２０から供給される駆動信号に基づき、最上部から最下部に向かって線順次走査を行い、フレーム画像Ｆ(n)の表示を行う（図５（Ａ））。そして、バックライト４０の各発光部ＢＬ１〜ＢＬ８は、この線順次走査に同期して消灯する（図５（Ｂ））。
【００３７】
同様に、液晶表示部３０は、タイミングｔ１〜ｔ２の期間、タイミングｔ２〜ｔ３の期間、タイミングｔ３〜ｔ４の期間において、表示駆動部２０から供給される駆動信号に基づき、最上部から最下部に向かって線順次走査を行い、フレーム画像Ｆ(n)の表示を繰り返し行う（図５（Ａ））。すなわち、この例では、タイミングｔ０〜ｔ４の期間において、フレーム画像Ｆ(n)の表示が４回繰り返される。そして、バックライト４０の各発光部ＢＬ１〜ＢＬ８は、この４回目の線順次走査に同期して点灯する（図５（Ｂ））。具体的には、例えば、発光部ＢＬ１は、液晶表示部３０の表示面における対応する領域Ｚ１が走査されたタイミングから所定時間ｔｄ１を経過したタイミングにおいて点灯を開始し、領域Ｚ１において次の線順次走査が行われるまでの時間（点灯時間ｔon）、点灯を続ける（図５（Ｂ））。同様に、発光部ＢＬ２は、液晶表示部３０の表示面における対応する領域Ｚ２が走査されたタイミングから所定時間ｔｄ１を経過したタイミングにおいて点灯を開始し、領域Ｚ２において次の線順次走査が行われるまでの時間（点灯時間ｔon）、点灯を続ける（図５（Ｂ））。発光部ＢＬ３〜ＢＬ８についても同様である。
【００３８】
その後、液晶表示部３０は、同様にして、タイミングｔ４以降において、線順次走査により次のフレーム画像Ｆ(n+1)の表示を開始し（図５（Ａ））、バックライト４０の各発光部ＢＬ１〜ＢＬ８は、１回目の線順次走査に同期して消灯する（図５（Ｂ））。
【００３９】
画質優先モードＭ１では、バックライト４０の各発光部ＢＬ１〜ＢＬ８は、４回目の線順次走査に同期して、それぞれ点灯する。すなわち、液晶表示部３０の液晶は、１回目の線順次走査により応答を開始するため、４回目の線順次走査の頃には、十分に応答した状態になっており、各発光部ＢＬ１〜ＢＬ８は、液晶表示部３０における対応する領域Ｚ１〜Ｚ８の液晶が十分に応答した後に点灯する。これにより、観察者は、液晶表示部３０の過渡的な表示を見ることがないため、画質劣化を低減することができる。
【００４０】
図６は、遅延時間優先モードＭ２における表示動作のタイミング図を表すものであり、（Ａ）は液晶表示部３０の動作を示し、（Ｂ）はバックライト４０の動作を示す。
【００４１】
まず、タイミングｔ１０〜ｔ１１の期間において、液晶表示部３０は、表示駆動部２０から供給される駆動信号に基づき、最上部から最下部に向かって線順次走査を行い、フレーム画像Ｆ(n)の表示を行う（図６（Ａ））。そして、バックライト４０の各発光部ＢＬ１〜ＢＬ８は、この線順次走査に同期して点灯する（図６（Ｂ））。具体的には、例えば、発光部ＢＬ１は、液晶表示部３０の表示面における対応する領域Ｚ１が走査されたタイミングから所定時間ｔｄ２を経過したタイミングｔ１８において点灯を開始し、点灯時間ｔonの間、点灯を続け、その後タイミングｔ１９において消灯する（図６（Ｂ））。同様に、発光部ＢＬ２は、液晶表示部３０の表示面における対応する領域Ｚ２が走査されたタイミングから所定時間ｔｄ２を経過したタイミングにおいて点灯を開始し、点灯時間ｔonの間、点灯を続け、その後消灯する（図６（Ｂ））。発光部ＢＬ３〜ＢＬ８についても同様である。このとき、各発光部ＢＬ１〜ＢＬ８の発光量Ａ（点灯時間ｔonと輝度Ｉとの積）は、画質優先モードＭ１と遅延時間優先モードＭ２とで互いに等しくなるように設定される。これにより、例えば観察者が、映像を観察している最中に動作モードを変更した場合でも、観察者が不自然に感じるおそれを低減することができる。
【００４２】
そして、液晶表示部３０は、タイミングｔ１１〜ｔ１２の期間、タイミングｔ１２〜ｔ１３の期間、タイミングｔ１３〜ｔ１４の期間において、表示駆動部２０から供給される駆動信号に基づき、最上部から最下部に向かって線順次走査を行い、フレーム画像Ｆ(n)の表示を繰り返し行う（図６（Ａ））。
【００４３】
その後、液晶表示部３０は、同様にして、タイミングｔ１４以降において、線順次走査により次のフレーム画像Ｆ(n+1)の表示を開始する（図６（Ａ））。
【００４４】
遅延時間優先モードＭ２では、バックライト４０の各発光部ＢＬ１〜ＢＬ８は、１回目の線順次走査に同期して、それぞれ点灯する。すなわち、例えば、各発光部ＢＬ１〜ＢＬ８は、液晶表示部３０の対応する領域Ｚ１〜Ｚ８における液晶が応答途中であるタイミングｔ１８（タイミングｔ１０から時間ｔｄ２を経過したタイミング）から、液晶がほぼ応答したタイミングｔ１９（タイミングｔ１１の直前）までの期間に点灯する。このように、画質優先モードＭ１よりも早いタイミングで、バックライト４０が点灯するため、表示装置１に映像信号が供給されてから実際に表示が行われるまでの時間（遅延時間）を短くすることができる。
【００４５】
図７は、遅延時間優先モードＭ２における、各発光部ＢＬ１〜ＢＬ８の発光タイミングを、より詳細に表すものであり、（Ａ）は液晶表示部３０の動作を示し、（Ｂ）はバックライト４０の動作を示し、（Ｃ）は各発光部ＢＬ１〜ＢＬ８の動作を示す。ここで、図７（Ｂ），（Ｃ）における斜めの破線は、各発光部ＢＬ１〜ＢＬ８に対応する液晶表示部３０の領域Ｚ１〜Ｚ８における、線順次走査を表している。
【００４６】
図７に示したように、遅延時間優先モードＭ２では、各発光部ＢＬ１〜ＢＬ８は、各発光期間の中心ｔｃ１〜ｔｃ８が、液晶表示部３０の対応する領域Ｚ１〜Ｚ８の表示期間Ｐ１〜Ｐ８のうちの前半の期間Ｐ１Ａ〜Ｐ８Ａに設定されている。より具体的には、この例では、各発光期間の中心ｔｃ１〜ｔｃ８を、前半の期間Ｐ１Ａ〜Ｐ８Ａのさらに前半に設定している。ここで、表示期間Ｐ１〜Ｐ８は、液晶表示部３０の各領域Ｚ１〜Ｚ８における、あるフレーム画像（例えばフレーム画像Ｆ(n)）の１回目の走査から、次のフレーム画像（例えばフレーム画像Ｆ(n+1)）の１回目の走査までの期間である。具体的には、例えば、表示期間Ｐ１は、フレーム画像Ｆ(n)についての１回目の線順次走査が、液晶表示部３０の領域Ｚ１の垂直方向の中央に達したタイミングｔｓ１から始まり、次のフレーム画像Ｆ(n+1)についての１回目の線順次走査が、液晶表示部３０の領域Ｚ１の垂直方向の中央に達したタイミングｔｅ１で終わるものである。
【００４７】
このように、表示装置１では、遅延時間優先モードＭ２において、発各発光部ＢＬ１〜ＢＬ８の発光期間の中心ｔｃ１〜ｔｃ８を、表示期間Ｐ１〜Ｐ８のうちの前半の期間Ｐ１Ａ〜Ｐ８Ａに設定したので、表示の遅延時間を短くすることができる。これにより、例えば、表示物が高速で移動するようなゲーム用途において、ユーザはタイムリーなゲーム操作を行うことができる。
【００４８】
［効果］
以上のように本実施の形態では、バックライトの点灯タイミングを可変にしたので、自由度のある表示動作を行うことができる。
【００４９】
また、本実施の形態では、遅延時間優先モードＭ２において、発光期間の中心を、表示期間の前半の期間内に設定したので、表示の遅延時間を短くすることができる。
【００５０】
［変形例１−１］
上記実施の形態では、遅延時間優先モードＭ２において、発光期間の中心ｔｃ１〜ｔｃ８が期間Ｐ１〜Ｐ８のうちの前半の期間Ｐ１Ａ〜Ｐ８Ａのうちのさらに前半になるように時間ｔｄ２を設定したが、これに限定されるものではなく、例えば、図８に示したように、期間Ｐ１Ａ〜Ｐ８Ａのうちの後半になるように時間ｔｄ２を設定してもよい。例えば図６に示した遅延時間優先モードＭ２では、液晶が応答途中である期間においてもバックライト４０が点灯するため、観察者は、液晶表示部３０の過渡的な表示を見ることとなり、画質優先モードＭ１に比べて画質が低下するおそれがある。このような場合には、図８に示したように、その用途で問題が無い程度に時間ｔｄ２を調整してもよい。
【００５１】
［変形例１−２］
上記実施の形態では、フレームレート変換部１２は、フレームレートを４倍に変換したが、これに限定されるものではなく、これに代えて、例えば、フレームレートを２倍に変換してもよい。以下にその詳細を説明する。
【００５２】
図１０は、本変形例に係る表示装置１Ｂの、画質優先モードＭ１における表示動作のタイミング図を表すものであり、（Ａ）は液晶表示部３０の動作を示し、（Ｂ）はバックライト４０の動作を示す。なお、この例では、液晶表示部３０として、いわゆる２倍速駆動に対応した液晶表示パネルを使用することができる。
【００５３】
表示装置１Ｂでは、例えば１６．７［msec］（＝１／６０［Ｈｚ］）の周期Ｔ０でフレーム画像が供給され、本変形例に係るフレームレート変換部１２Ｂが、フレームレートを２倍に変換し、８．３［msec］（＝１／６０［Ｈｚ］／２）の周期Ｔ２で、フレームレート変換した各フレーム画像を出力する。そして、液晶表示部３０は、このフレームレート変換された各フレーム画像を表示するとともに、バックライト４０がこの表示に同期して発光する。
【００５４】
まず、タイミングｔ２０〜ｔ２１の期間において、液晶表示部３０は、最上部から最下部に向かって線順次走査を行い、フレーム画像Ｆ(n)の表示を行う（図９（Ａ））。そして、バックライト４０の各発光部ＢＬ１〜ＢＬ８は、この線順次走査に同期して消灯する（図９（Ｂ））。
【００５５】
同様に、液晶表示部３０は、タイミングｔ２１〜ｔ２２の期間において線順次走査を行い、フレーム画像Ｆ(n)の表示を再度行う（図９（Ａ））。すなわち、この例では、タイミングｔ２０〜ｔ２２の期間において、フレーム画像Ｆ(n)の表示が２回行われる。そして、バックライト４０の各発光部ＢＬ１〜ＢＬ８は、この２回目の線順次走査に同期して点灯する（図９（Ｂ））。
【００５６】
その後、液晶表示部３０は、同様にして、タイミングｔ２２以降において、線順次走査により次のフレーム画像Ｆ(n+1)の表示を開始し（図９（Ａ））、バックライト４０の各発光部ＢＬ１〜ＢＬ８は、１回目の線順次走査に同期して消灯する（図９（Ｂ））。
【００５７】
図１０は、遅延時間優先モードＭ２における表示動作のタイミング図を表すものであり、（Ａ）は液晶表示部３０の動作を示し、（Ｂ）はバックライト４０の動作を示す。
【００５８】
まず、タイミングｔ３０〜ｔ３１の期間において、液晶表示部３０は、最上部から最下部に向かって線順次走査を行い、フレーム画像Ｆ(n)の表示を行う（図１０（Ａ））。そして、バックライト４０の各発光部ＢＬ１〜ＢＬ８は、この線順次走査に同期して点灯し、点灯時間ｔonの後消灯する（図１０（Ｂ））。
【００５９】
そして、液晶表示部３０は、タイミングｔ３１〜ｔ３２の期間において線順次走査を行い、フレーム画像Ｆ(n)の表示を再度行う（図６（Ａ））。
【００６０】
その後、液晶表示部３０は、同様にして、タイミングｔ３２以降において、線順次走査により次のフレーム画像Ｆ(n+1)の表示を開始する（図６（Ａ））。
【００６１】
このように、本変形例の場合でも、上記実施の形態の場合と同様に、表示の遅延時間を短くすることができる。
【００６２】
［変形例１−３］
上記実施の形態では、バックライト４０は、８つの発光部ＢＬ１〜ＢＬ８を有するものとしたが、これに限定されるものではなく、これに代えて、例えば７つ以下や、９つ以上の発光部を用いて構成してもよい。
【００６３】
［変形例１−４］
上記実施の形態では、バックライト４０は、独立して発光可能な複数（この例では８つ）の発光部ＢＬ１〜ＢＬ８を有するものとしたが、これに限定されるものではなく、これに代えて、一面が同時に発光するバックライトを用いてもよい。以下に、その詳細を説明する。
【００６４】
図１１は、本変形例に係るバックライト４０Ｃの一構成例を表すものである。バックライト４０Ｃは、いわゆるエッジ型バックライトであり、この例では、図の上下にそれぞれ発光部ＢＬＴ，ＢＬＢを有している。これらの発光部ＢＬＴ，ＢＬＢは、同時に発光するように制御される。そして、これらの発光部ＢＬＴ，ＢＬＢから射出した光は、図示しない導光板などにより導かれ、領域Ｚ０から液晶表示部３０に対して面発光するようになっている。
【００６５】
図１２は、本変形例に係る表示装置１Ｃの、画質優先モードＭ１における表示動作のタイミング図を表すものであり、（Ａ）は液晶表示部３０の動作を示し、（Ｂ）はバックライト４０の動作を示す。
【００６６】
まず、タイミングｔ４０〜ｔ４１の期間において、液晶表示部３０は、最上部から最下部に向かって線順次走査を行い、フレーム画像Ｆ(n)の表示を行う（図１２（Ａ））。同様に、液晶表示部３０は、タイミングｔ４１〜ｔ４２の期間、タイミングｔ４２〜ｔ４３の期間、タイミングｔ４３〜ｔ４４の期間において、線順次走査を行い、フレーム画像Ｆ(n)の表示を繰り返し行う。そして、その４回目の線順次走査の途中において、バックライト４０Ｃが発光を開始する。
【００６７】
その後、液晶表示部３０は、同様にして、タイミングｔ４４以降において、線順次走査により次のフレーム画像Ｆ(n+1)の表示を開始する（図１２（Ａ））。そして、バックライト４０Ｃは、この例では、この１回目の線順次走査が、液晶表示部３０の表示面の垂直方向の中央付近に達したとき消灯する。
【００６８】
図１３は、表示装置１Ｃの、遅延時間優先モードＭ２における表示動作のタイミング図を表すものであり、（Ａ）は液晶表示部３０の動作を示し、（Ｂ）はバックライト４０の動作を示す。
【００６９】
まず、タイミングｔ５０〜ｔ５１の期間において、液晶表示部３０は、最上部から最下部に向かって線順次走査を行い、フレーム画像Ｆ(n)の表示を行う（図１３（Ａ））。そして、バックライト４０Ｃは、この線順次走査の途中において発光を開始する。
【００７０】
そして、液晶表示部３０は、タイミングｔ５１〜ｔ５２の期間、タイミングｔ５２〜ｔ５３の期間、タイミングｔ５３〜ｔ５４の期間において線順次走査を行い、フレーム画像Ｆ(n)の表示を繰り返し行う（図１３（Ａ））。そして、バックライト４０Ｃは、タイミングｔ５１〜ｔ５２の期間における２回目の線順次走査の途中において消灯する。
【００７１】
その後、液晶表示部３０は、同様にして、タイミングｔ５４以降において、線順次走査により次のフレーム画像Ｆ(n+1)の表示を開始する（図１３（Ａ））。
【００７２】
図１４は、表示装置１Ｃの、遅延時間優先モードＭ２におけるバックライト４０Ｃの発光タイミングを、より詳細に表すものであり、（Ａ）は液晶表示部３０の動作を示し、（Ｂ）はバックライト４０Ｃの動作を示す。
【００７３】
図１４に示したように、バックライト４０Ｃは、発光期間の中心ｔｃ０が、液晶表示部３０の表示期間Ｐ０のうちの前半の期間Ｐ０Ａに設定されている。ここで、表示期間Ｐ０は、フレーム画像Ｆ(n)についての１回目の線順次走査が、液晶表示部３０の表示面における垂直方向の中央に達したタイミングｔｓ０から始まり、次のフレーム画像Ｆ(n+1)についての１回目の線順次走査が、液晶表示部３０の表示面における垂直方向の中央に達したタイミングｔｅ０で終わるものである。
【００７４】
このように、表示装置１Ｃでは、遅延時間優先モードＭ２において、バックライト４０Ｃの発光期間の中心ｔｃ０を、表示期間Ｐ０のうちの前半の期間Ｐ０Ａ内に設定したので、上記実施の形態の場合と同様に、表示の遅延時間を短くすることができる。
【００７５】
＜２．第２の実施の形態＞
次に、第２の実施の形態に係る表示装置について説明する。本実施の形態は、上記実施の形態１におけるバックライト４０を、さらに他のタイミングでも発光できるように構成したものである。なお、上記第１の実施の形態に係る表示装置１と実質的に同一の構成部分には同一の符号を付し、適宜説明を省略する。
【００７６】
図１５は、本実施の形態に係る表示装置２の一構成例を表すものである。表示装置２は、映像信号処理部５１と、フレームレート変換部５２と、バックライト駆動部５４とを備えている。
【００７７】
映像信号処理部５１は、映像信号Ｓdispに対して映像信号処理を施して、映像信号Ｓdisp1として出力するとともに、その映像信号Ｓdispに基づいて画素信号レベルＬＶに関するヒストグラムＨＬＶを生成し、明るさヒストグラム信号Ｓｈとして出力する機能をも有している。
【００７８】
図１６は、ヒストグラムＨＬＶの一例を表すものである。図１６において、横軸は各画素の画素信号レベルＬＶを示し、縦軸は画素数を示す。すなわち、ヒストグラムＨＬＶは、画素信号レベルＬＶごとに、その画素信号レベルＬＶが供給される画素の数を表すものである。なお、この例では画素を単位としてヒストグラムを生成したが、これに限定されるものではなく、例えば、複数の画素により構成される画素ブロックを単位としてヒストグラムを生成してもよい。
【００７９】
フレームレート変換部５２は、映像信号Ｓdisp1に基づいてフレームレート変換を行い、その変換結果を映像信号Ｓdisp2として出力し、その映像信号Ｓdisp2に同期した同期信号Ｓsyncを出力するともに、動きベクトル信号Ｓｖを生成して出力するものである。
【００８０】
フレームレート変換部５２は、動きベクトル検出部５５を有している。動きベクトル検出部５５は、映像信号Ｓdisp1により供給される一連のフレーム画像に基づいて、画像の変化を示す動きベクトルを検出するものである。具体的には、動きベクトル検出部５５は、供給された一連のフレーム画像のうちの時間的に隣接する２つのフレーム画像の画像情報に基づいて、例えば画素単位で、表示内容の水平方向および垂直方向の動きを検出し、動きベクトルを求める。そして、動きベクトル検出部５５は、画素単位で求めた一連の動きベクトルを、動きベクトル信号Ｓｖとして出力するようになっている。なお、この例では画素単位で動きベクトルを求めたが、これに限定されるものではなく、これに代えて、例えば、複数の画素からなる画素ブロック単位で表示内容の動きを検出して動きベクトルを求めるようにしてもよい。
【００８１】
バックライト駆動部５４は、同期信号Ｓsync、動作モード信号Ｓmode、明るさヒストグラム信号Ｓｈ、および動きベクトル信号Ｓｖに基づいて、バックライト４０を駆動するものである。このバックライト駆動部５４は、上記第１の実施の形態におけるバックライト４０の発光期間に加え、さらに他の期間でもバックライト４０が発光するように制御するものである。具体的には、バックライト駆動部５４は、上記第１の実施の形態における互いに隣接する発光期間（メイン発光期間）の間に、さらに他の発光期間（サブ発光期間）を設けるように制御するものである。その際、バックライト駆動部５４は、後述するように、明るさヒストグラム信号Ｓｈおよび動きベクトル信号Ｓｖに基づいて、各発光期間における発光量を求め、その発光量に基づいてバックライト４０を駆動するようになっている。具体的には、バックライト駆動部５４は、後述するように、画素信号レベルＬＶが高い場合（表示画面が明るい場合）や、動きベクトルが小さい場合（表示内容の動きが小さい場合）（以下、ケースＣ１と呼ぶ）には、例えば、メイン発光期間における発光量Ａｍとサブ発光期間における発光量Ａｓとをほぼ同じ量に設定する。また、バックライト駆動部５４は、後述するように、画素信号レベルＬＶが低い場合（表示画面が暗い場合）や、動きベクトルが大きい場合（表示内容の動きが大きい場合）（以下、ケースＣ２と呼ぶ）には、例えば、メイン発光期間における発光量Ａｍを、サブ発光期間における発光量Ａｓよりも大きい量に設定するようになっている。
【００８２】
図１７は、画質優先モードＭ１における表示動作のタイミング図を表すものであり、（Ａ）は液晶表示部３０の動作を示し、（Ｂ），（Ｃ）はケースＣ１におけるバックライト４０の動作および発光部ＢＬ１〜ＢＬ８の輝度を示し、（Ｄ），（Ｅ）はケースＣ２におけるバックライト４０の動作および発光部ＢＬ１〜ＢＬ８の輝度を示す。
【００８３】
表示装置２では、画質優先モードＭ１において、バックライト４０の各発光部ＢＬ１〜ＢＬ８は、上記第１の実施の形態に係る表示装置１の場合（図５）と同様に、４回目の線順次走査に同期して、発光量Ａｍで点灯する（メイン発光期間）。そして、このバックライト４０の各発光部ＢＬ１〜ＢＬ８は、表示装置１の場合とは異なり、２回目の線順次走査に同期して、発光量Ａｓでさらに点灯する（サブ発光期間）。このメイン発光期間の終了タイミングと、サブ発光期間の終了タイミングとは、互いにＴ０／２の時間離れて設定される。以下にその詳細を説明する。
【００８４】
まず、液晶表示部３０は、タイミングｔ６０〜ｔ６１の期間において、表示駆動部２０から供給される駆動信号に基づき、最上部から最下部に向かって線順次走査を行い、フレーム画像Ｆ(n)の表示を行う（図１７（Ａ））。
【００８５】
次に、液晶表示部３０は、タイミングｔ６１〜ｔ６２の期間において２回目の線順次走査を行い、フレーム画像Ｆ(n)の表示を繰り返し行う（図１７（Ａ））。そして、バックライト４０の各発光部ＢＬ１〜ＢＬ８は、この２回目の線順次走査に同期したサブ発光期間（点灯時間ｔons）において、発光量Ａｓで発光する（図１７（Ｂ）〜（Ｅ））。
【００８６】
次に、液晶表示部３０は、タイミングｔ６２〜ｔ６３の期間において３回目の線順次走査を行い、フレーム画像Ｆ(n)の表示を繰り返し行う（図１７（Ａ））。
【００８７】
次に、液晶表示部３０は、タイミングｔ６３〜ｔ６４の期間において４回目の線順次走査を行い、フレーム画像Ｆ(n)の表示を繰り返し行う（図１７（Ａ））。そして、バックライト４０の各発光部ＢＬ１〜ＢＬ８は、この４回目の線順次走査に同期したメイン発光期間（点灯時間Ｔonm）において、発光量Ａｍで発光する（図１７（Ｂ）〜（Ｅ））。
【００８８】
その後、液晶表示部３０は、同様にして、タイミングｔ６４以降において、線順次走査により次のフレーム画像Ｆ(n+1)の表示を開始する（図１７（Ａ））。
【００８９】
このように、画質優先モードＭ１では、バックライト４０の各発光部ＢＬ１〜ＢＬ８は、４回目の線順次走査に同期したメイン発光期間において発光量Ａｍで発光するとともに、２回目の線順次走査に同期したサブ発光期間においても発光量Ａｓで発光する。その際、後述するように、バックライト駆動部５４は、発光量Ａｍを、発光量Ａｓと同等またはそれ以上の値（発光量Ａｍ≧発光量Ａｓ）に設定する。これにより、観察者は、液晶が十分に応答した４回目の線順次走査による表示を主に見るため、上記第１の実施の形態の場合（図５）と同様に、画質劣化を低減することができる。
【００９０】
また、表示装置２では、発光量Ａｍ，Ａｓを、発光時間Ｔonm，Ｔomsの長さにより制御する。その際、画質優先モードＭ１では、バックライト駆動部５４は、各発光部ＢＬ１〜ＢＬ８が発光する際の輝度Ｉonを一定にし、各発光期間の終了タイミングを維持したまま、発光時間Ｔonm，Ｔomsをそれぞれ変更することにより、発光量Ａｍ，Ａｓを制御する。このように、各発光期間の終了タイミングを維持したまま発光量Ａｍ，Ａｓを制御することにより、観察者が画質の劣化を感じるおそれを低減することができる。
【００９１】
次に、この発光量Ａｍと発光量Ａｓとの間の大小関係について説明する。発光量Ａｍと発光量Ａｓとの間の大小関係は、図１７に示したように、ケースＣ１とケースＣ２とで異なるように制御される。
【００９２】
ケースＣ１では、図１７（Ｃ）に示したように、発光量Ａｍおよび発光量Ａｓは、互いにほぼ等しくなっている。この場合には、発光部ＢＬ１〜ＢＬ８は、時間Ｔ０の間で２回、ほぼ等しい発光量で発光するため、上記第１の実施の形態に係る表示装置１の場合（図５）と比べて、短い周期（高い周波数）で点滅することとなり、観察者は、高い周波数で表示映像を観察するようになる。
【００９３】
一方、ケースＣ２では、図１７（Ｅ）に示したように、発光量Ａｍが発光量Ａｓよりも大きい量に設定されている。この場合には、観察者は、主に、発光量Ａｍに基づく表示を観察するようになる。
【００９４】
一般に、人は、映像の点滅の周波数が、ある周波数（例えば１００［Ｈｚ］程度）以下になると、その映像を観察したときにフリッカを感じる。このフリッカは、例えば、表示画面が明るい場合や、表示内容の動きが小さい場合に感じやすい。そこで、表示装置２では、表示画面が明るい場合や、表示内容の動きが小さい場合（ケースＣ１）には、図１７（Ｃ）に示したように、発光量Ａｍと発光量Ａｓとをほぼ等しくすることにより、点滅の周波数を高くして、観察者がフリッカを感じるおそれを低減することができる。
【００９５】
一方、このフリッカは、表示画面が暗い場合や、表示内容の動きが大きい場合には、目立たなくなる。しかしながら、この場合には、発光量Ａｍに係る４回目の線順次走査による表示と、発光量Ａｓに係る２回目の線順次走査による表示の表示内容が同じであるため、いわゆるホールドぼけにより画質が劣化するおそれがある。そこで、表示装置２では、表示画面が暗い場合や、表示内容の動きが大きい場合（ケースＣ２）には、図１７（Ｅ）に示したように、発光量Ａｍを発光量Ａｓよりも大きい量に設定することにより、観察者が、主に発光量Ａｍに係る４回目の線順次走査による表示を見るようになるため、ホールドぼけによる画質の低下を抑えることができる。
【００９６】
なお、表示画面の明るさが中程度であり、表示内容の動きが中程度である場合（ケースＣ１とケースＣ２の中間の状態）では、発光量Ａｍと発光量Ａｓとの差は、ケースＣ１の場合（図１７（Ｃ））とケースＣ２の場合（図１７（Ｅ））の中間程度に設定される。これにより、点滅の周波数が高くなるために、観察者がフリッカを感じにくくなるとともに、発光量Ａｍに係る４回目の線順次走査による表示が、発光量Ａｓに係る２回目の線順次走査による表示よりも強く表示されるため、ホールドぼけによる画質の低下を抑えることができる。
【００９７】
図１８は、遅延時間優先モードＭ２における表示動作のタイミング図を表すものであり、（Ａ）は液晶表示部３０の動作を示し、（Ｂ），（Ｃ）はケースＣ１におけるバックライト４０の動作および発光部ＢＬ１〜ＢＬ８の輝度を示し、（Ｄ），（Ｅ）はケースＣ２におけるバックライト４０の動作および発光部ＢＬ１〜ＢＬ８の輝度を示す。
【００９８】
表示装置２では、遅延時間優先モードＭ２において、バックライト４０の各発光部ＢＬ１〜ＢＬ８は、上記第１の実施の形態に係る表示装置１の場合（図６）と同様に、１回目の線順次走査に同期して、発光量Ａｍで点灯する（メイン発光期間）。そして、このバックライト４０の各発光部ＢＬ１〜ＢＬ８は、表示装置１の場合とは異なり、３回目の線順次走査に同期して、発光量Ａｓでさらに点灯する（サブ発光期間）。このメイン発光期間の開始タイミングと、サブ発光期間の開始タイミングとは、互いにＴ０／２の時間離れて設定される。
【００９９】
まず、液晶表示部３０は、タイミングｔ７０〜ｔ７１の期間において、表示駆動部２０から供給される駆動信号に基づき、最上部から最下部に向かって線順次走査を行い、フレーム画像Ｆ(n)の表示を行う（図１８（Ａ））。そして、バックライト４０の各発光部ＢＬ１〜ＢＬ８は、この線順次走査に同期したメイン発光期間（点灯時間Ｔonm）において、発光量Ａｍで発光する（図１８（Ｂ）〜（Ｅ））。
【０１００】
次に、液晶表示部３０は、タイミングｔ７１〜ｔ７２の期間において２回目の線順次走査を行い、フレーム画像Ｆ(n)の表示を繰り返し行う（図１８（Ａ））。
【０１０１】
次に、液晶表示部３０は、タイミングｔ７２〜ｔ７３の期間において３回目の線順次走査を行い、フレーム画像Ｆ(n)の表示を繰り返し行う（図１８（Ａ））。そして、バックライト４０の各発光部ＢＬ１〜ＢＬ８は、この３回目の線順次走査に同期したサブ発光期間（点灯時間Ｔons）において、発光量Ａｓで発光する（図１８（Ｂ）〜（Ｅ））。
【０１０２】
次に、液晶表示部３０は、タイミングｔ７３〜ｔ７４の期間において４回目の線順次走査を行い、フレーム画像Ｆ(n)の表示を繰り返し行う（図１８（Ａ））。
【０１０３】
その後、液晶表示部３０は、同様にして、タイミングｔ７４以降において、線順次走査により次のフレーム画像Ｆ(n+1)の表示を開始する（図１８（Ａ））。
【０１０４】
このように、遅延時間優先モードＭ２では、バックライト４０の各発光部ＢＬ１〜ＢＬ８は、２回目の線順次走査に同期したメイン発光期間において発光量Ａｍで発光するとともに、４回目の線順次走査に同期したサブ発光期間においても発光量Ａｓで発光する。その際、後述するように、バックライト駆動部５４は、発光量Ａｍを、発光量Ａｓと同等またはそれ以上の値（発光量Ａｍ≧発光量Ａｓ）に設定する。これにより、観察者は、２回目の線順次走査による表示を主に見るため、上記第１の実施の形態の場合（図６）と同様に、表示装置２に映像信号が供給されてから実際に表示が行われるまでの時間（遅延時間）を短くすることができる。
【０１０５】
また、遅延時間優先モードＭ２では、バックライト駆動部５４は、各発光期間の開始タイミングを維持したまま、発光時間Ｔonm，Ｔomsをそれぞれ変更することにより、発光量Ａｍ，Ａｓを制御する。このように、発光期間の開始タイミングを維持したまま発光量Ａｍ，Ａｓを制御することにより、短い遅延時間を維持することができる。
【０１０６】
また、発光量Ａｍ，Ａｓは、上述した画質優先モードＭ１の場合と同様に設定される。これにより、表示装置２では、遅延時間優先モードＭ２においても、表示画面が明るい場合や、表示内容の動きが小さい場合（ケースＣ１）には、観察者がフリッカを感じるおそれを低減することができ、表示画面が暗い場合や、表示内容の動きが大きい場合（ケースＣ２）には、ホールドぼけによる画質の低下を抑えることができる。また、表示画面の明るさが中程度であり、表示内容の動きが中程度である場合（ケースＣ１とケースＣ２の中間の状態）では、観察者がフリッカを感じにくくなるとともに、ホールドぼけによる画質の低下を抑えることができる。
【０１０７】
バックライト駆動部５４は、明るさヒストグラム信号Ｓｈおよび動きベクトル信号Ｓｖに基づいて、メイン発光期間における発光量Ａｍ、およびサブ発光期間における発光量Ａｓを求める。以下に、バックライト駆動部５４の動作を説明する。
【０１０８】
図１９は、バックライト駆動部５４における動作の流れ図を表すものである。バックライト駆動部５４は、まず、動きベクトル処理フローＦｖと明るさヒストグラム処理フローＦｈを並行して行い、それらの処理結果に基づいて、発光量Ａｍ，Ａｓを求める。以下に、その詳細を説明する。
【０１０９】
最初に、動きベクトル処理フローＦｖについて説明する。
【０１１０】
まず、バックライト駆動部５４は、動きベクトル処理フローＦｖにおいて、スクロール判定を行う（ステップＳ１１）。具体的には、バックライト駆動部５４は、動きベクトル信号Ｓｖに基づいて、各画素の動きベクトルがほぼ同じ大きさで、ほぼ同じ方向を向いている場合には、画面がスクロールしていると判定する。スクロールしていると判定した場合には、ステップＳ１５に進み、スクロールしていないと判定した場合には、ステップＳ１２に進む。
【０１１１】
ステップＳ１１においてスクロールしていないと判定した場合には、次に、バックライト駆動部５４は、動きベクトル信号Ｓｖに基づいて、各画素の動きベクトルの大きさを、画面全体にわたって積分することにより動き量Ｎを求める（ステップＳ１２）。すなわち、動き量Ｎは、一連のフレーム画像における表示内容の動きが大きいほど大きな値になるものである。
【０１１２】
次に、バックライト駆動部５４は、ステップＳ１２において求めた動き量Ｎが、所定のしきい値Ｖthより大きいかどうかを確認する（ステップＳ１３）。すなわち、このフローでは、フレーム画像の表示内容が所定の量以上動いているかどうかを判定するものである。動き量Ｎが所定のしきい値Ｖthより大きい場合には、ステップＳ１５に進み、動き量Ｎが所定のしきい値Ｖth以下である場合には、ステップＳ１４に進む。
【０１１３】
ステップＳ１３において、動き量Ｎが所定のしきい値Ｖth以下であると判定された場合には、次に、バックライト駆動部５４は、動き量Ｎを所定の関数ｆｖに代入することにより、変数Ａｖを求める（ステップＳ１４）。関数ｆｖ（Ｎ）は、動き量Ｎが小さいほど、大きな値を出力する関数である。変数Ａｖは、０以上の値を有するものであり、後述するように、その変数Ａｖの値が大きいほど、サブ発光期間における発光量Ａｓが大きく設定されるものである。その後、フローは、ステップＳ３１に進む。
【０１１４】
ステップＳ１１においてスクロールしていると判定した場合や、ステップＳ１３において、動き量Ｎが所定のしきい値Ｖthより大きいと判定した場合には、バックライト駆動部５４は、変数Ａｖを０に設定する（ステップＳ１５）。その後、フローは、ステップＳ３１に進む。
【０１１５】
次に、明るさヒストグラム処理フローＦｈについて説明する。
【０１１６】
まず、バックライト駆動部５４は、明るさヒストグラム処理フローＦｈにおいて、明るさヒストグラム信号Ｓｈに基づいて、画素信号レベルＬＶが所定のしきい値ＬＶthより高い画素数の全体画素数における比率Ｙを求める（ステップＳ２１）。具体的には、バックライト駆動部５４は、ヒストグラムＨＬＶ（図１６）のうち、画素信号レベルＬＶがしきい値ＬＶthよりも大きい部分（斜線部）の画素数を求め、その画素数を全体画素数により除算することにより比率Ｙを求める。
【０１１７】
次に、バックライト駆動部５４は、比率Ｙを所定の関数ｆｈに代入することにより、変数Ａｈを求める（ステップＳ２２）。関数ｆｈ（Ｙ）は、比率Ｙが大きいほど、大きな値を出力する関数である。変数Ａｈは、０以上の値を有するものであり、後述するように、その変数Ａｈの値が大きいほど、サブ発光期間における発光量Ａｈが大きい値に設定されるものである。その後、フローは、ステップＳ３１に進む。
【０１１８】
その後、動きベクトル処理フローＦｖにより求めた変数Ａｖと、明るさヒストグラム処理フローＦｈにより求めた変数Ａｈに基づいて、以下に示すように、発光量Ａｍ，Ａｓを求める。
【０１１９】
まず、バックライト駆動部５４は、ステップＳ１４またはステップＳ１５により求めた変数Ａｖと、ステップＳ２２により求めた変数Ａｈとを加算することにより、サブ発光期間の発光量Ａｓを求める（ステップＳ３１）。
【０１２０】
次に、バックライト駆動部５４は、前ステップで求めた発光量Ａｓを、予め設定された全発光量Ａtotalで除算した結果（Ａｓ／Ａtotal）が、１／２より大きいかどうかを確認する（ステップＳ３２）。なお、この全発光量Ａtotalは、例えば、ユーザがユーザインタフェース（ＵＩ）を介して、表示画面の明るさのパラメータとして設定したものである。Ａｓ／Ａtotalが１／２よりも大きい場合にはステップＳ３３に進み、Ａｓ／Ａtotalが１／２以下である場合にはステップＳ３４に進む。
【０１２１】
ステップＳ３２において、Ａｓ／Ａtotalが１／２よりも大きい場合には、次に、バックライト駆動部５４は、発光量Ａｓを全発光量Ａtotalの半分の値（Ａtotal／２）に設定する（ステップＳ３３）。
【０１２２】
次に、バックライト駆動部５４は、全発光量Ａtotalから発光量Ａｓを減算することにより、メイン発光期間における発光量Ａｍを求める（ステップＳ３４）。
【０１２３】
以上で、このフローは終了する。
【０１２４】
このように、表示装置２では、動きベクトル処理フローＦｖおよび明るさヒストグラム処理フローＦｈにより変数Ａｖ，Ａｈを求め、その変数Ａｈ，Ａｖに基づいてサブ発光期間における発光量Ａｓを求め、その発光量Ａｓに基づいて、全発光量Ａtotalが一定になるように、発光量Ａｍを求める。
【０１２５】
動きベクトル処理フローＦｖにより求められる変数Ａｖは、一連のフレーム画像における表示内容の動きが大きいほど小さな値になるものである。具体的には、例えば、表示画面がスクロールしていると判定した場合（ステップＳ１１）や、動き量Ｎが所定のしきい値Ｖthより大きい場合（ステップＳ１３）には、バックライト駆動部５４は、表示内容の動きが大きいと判断し、変数Ａｖを０に設定する。また、動き量Ｎが所定のしきい値Ｖth以下である場合（ステップＳ１３）には、バックライト駆動部５４は、ステップＳ１４において、変数Ａｖを正の値に設定する。サブ発光期間における発光量Ａｓは、変数Ａｖと変数Ａｈとの加算により求められるため（ステップＳ３１）、変数Ａｖが小さいほど、サブ発光期間における発光量Ａｓは小さくなる。このように、バックライト駆動部５４は、一連のフレーム画像における表示内容の動きが大きいほど、サブ発光期間における発光量Ａｓを小さい値に設定し、表示内容の動きが小さいほど、サブ発光期間における発光量Ａｓを、発光量Ａｍとほぼ同じレベルにまで大きくする。これにより、表示装置２では、上述したように、表示内容の動きが大きい場合には、ホールドぼけによる画質の低下を抑えることができ、表示内容の動きが小さい場合には、観察者がフリッカを感じるおそれを低減することができる。
【０１２６】
また、明るさヒストグラム処理フローＦｈにより求められる変数Ａｈは、表示画面が明るいほど大きな値になるものである。サブ発光期間における発光量Ａｓは、変数Ａｖと変数Ａｈとの加算により求められるため（ステップＳ３１）、変数Ａｈが大きいほど、サブ発光期間における発光量Ａｓは大きくなる。このように、バックライト駆動部５４は、表示画面が暗いほど、サブ発光期間における発光量Ａｓを小さい値に設定し、表示画面が明るいほど、サブ発光期間における発光量Ａｓを、発光量Ａｍとほぼ同じレベルにまで大きくする。これにより、表示装置２では、上述したように、表示画面が暗い場合には、ホールドぼけによる画質の低下を抑えることができ、表示画面が明るい場合には、観察者がフリッカを感じるおそれを低減することができる。
【０１２７】
また、バックライト駆動部５４は、サブ発光期間における発光量Ａｓを設定する際、ステップＳ３２，Ｓ３３に示したように、発光量Ａｓが全発光量Ａtotalの半分を超えないように設定する。言い換えれば、バックライト駆動部５４は、発光量Ａｍが発光量Ａｓ以上になるように（発光量Ａｍ≧発光量Ａｓ）、発光量Ａｍ，Ａｓを設定する。これにより、例えば、画質優先モードＭ１では、観察者は、図１７に示したように、発光量Ａｍに係る４回目の線順次走査による表示を、発光量Ａｓに係る２回目の線順次走査による表示に比べて、同等か、あるいはより強く観察することとなる。つまり、観察者は、液晶表示部３０における液晶が十分に応答した後の映像を強く観察することとなり、液晶表示部３０の過渡的な表示を強く観察することが無いため、画質劣化を低減することができる。また、例えば、遅延時間優先モードＭ２では、観察者は、図１８に示したように、発光量Ａｍに係る１回目の線順次走査による表示を、発光量Ａｓに係る３回目の線順次走査による表示に比べて、同等か、あるいはより強く観察することとなる。つまり、観察者は、早いタイミングで行われる１回目の線順次走査による表示を強く観察するため、表示装置２に映像信号が供給されてから実際に表示が行われるまでの時間（遅延時間）を短くすることができる。
【０１２８】
また、表示装置２では、バックライト駆動部５４は、ステップＳ３４に示したように、発光量Ａｍと発光量Ａｓの和が一定になるように、発光量Ａｍ，Ａｓを求める。これにより、メイン発光期間における発光量とサブ発光期間における発光量の和を一定にしたので、動作モードによらず、表示画面の明るさをほぼ一定にすることができる。
【０１２９】
次に、バックライト駆動部５４が、バックライト４０の発光量Ａｍ，Ａｓを変更する際の動作について説明する。
【０１３０】
バックライト駆動部５４は、例えばヒストグラム信号Ｓｈおよび動きベクトル信号Ｓｖの情報が変化し、発光量Ａｍ，Ａｓが変化すると、その変化した発光量Ａｍ，Ａｓに基づいてバックライト４０を駆動制御する。その際、バックライト駆動部５４は、発光量Ａｍ，Ａｓが徐々に変化するようにバックライト４０を制御する。
【０１３１】
図２０は、発光量Ａｍ，Ａｓの変化を表すものであり、（Ａ）は発光部ＢＬ１の輝度Ｉを示し、（Ｂ）は発光部ＢＬ１の発光量Ａｍ，Ａｓを示す。なお、この例では、発光部ＢＬ１〜ＢＬ８のうちの発光部ＢＬ１を例として示したが、その他の発光部ＢＬ２〜ＢＬ８についても同様である。
【０１３２】
この例は、発光量Ａｍが発光量Ａｓよりも大きい状態（例えばケースＣ２）から、発光量Ａｍと発光量Ａｓとが互いに等しい状態（例えばケースＣ１）へ変化する場合を示している。タイミングｔ１００において、バックライト駆動部５４が、ヒストグラム信号Ｓｈおよび動きベクトル信号Ｓｖに基づいて、発光量Ａｍと発光量Ａｓとを互いに等しくすべきと判断した場合、バックライト駆動部５４は、発光量Ａｍと発光量Ａｓが徐々に変化するように、バックライト４０を駆動する。すなわち、バックライト駆動部５４は、発光量Ａｍ，Ａｓが急激に変化しないように制御する。この、発光量Ａｍ，Ａｓが最終値になるまでの時間（時定数）は、例えば１秒程度に設定することが可能である。これにより、例えば表示映像が変化しても発光量Ａｍ，Ａｓが急激に変化することがないため、観察者が表示映像を不自然に感じるおそれを低減することができる。
【０１３３】
また、この時定数は、固定値に限定されるものではなく、状況に応じて変化するようにしてもよい。具体的には、例えば、図１９のステップＳ１１に示したスクロール判定において、画面がスクロールしていると判定した場合には、この時定数を短く設定することにより瞬時に応答するようにしてもよい。また、例えば、明るさヒストグラムＨＬＶがより高い画素信号レベルＬＶの方向に短時間で変化し、輝度が急激に上昇した場合において、この時定数を短く設定することにより瞬時に応答するようにしてもよい。
【０１３４】
また、表示装置２では、バックライト駆動部５４は、発光量Ａｍと発光量Ａｓの和が一定になるように駆動するようにしたので、図２０に示したように、発光量Ａｍ，Ａｓが変化する場合でも、観察者が表示映像を不自然に感じるおそれを低減することができる。
【０１３５】
［効果］
以上のように本実施の形態では、メイン発光期間とサブ発光期間の両方を設けたので、フリッカを低減することができる。
【０１３６】
また、本実施の形態では、メイン発光期間における発光量とサブ発光期間における発光量を変化させるようにしたので、ホールドぼけによる画質の低下を抑えることができるとともに、フリッカを低減することができる。
【０１３７】
また、本実施の形態では、画質優先モードにおいて、各発光期間の終了タイミングを維持したまま、発光量を制御したので、画質の低下を抑えることができる。
【０１３８】
また、本実施の形態では、遅延時間優先モードにおいて、各発光期間の開始タイミングを維持したまま発光量を制御したので、短い遅延時間を維持することができる。
【０１３９】
また、本実施の形態では、メイン発光期間における発光量とサブ発光期間における発光量の和を一定にしたので、動作モードによらず、表示画面の明るさをほぼ一定にすることができる。
【０１４０】
また、本実施の形態では、メイン発光期間における発光量とサブ発光期間における発光量が徐々に変化するようにしたので、観察者が表示映像を不自然に感じるおそれを低減することができる。
【０１４１】
その他の効果は、上記第１の実施の形態の場合と同様である。
【０１４２】
［変形例２−１］
上記実施の形態に対しても、上記第１の実施の形態の変形例１−１〜１−４のうちのいずれか、あるいは２つ以上を適用してもよい。
【０１４３】
［変形例２−２］
上記実施の形態では、バックライト駆動部５４の動作フローにおいて、動きベクトル処理フローＦｖと明るさヒストグラム処理フローＦｈとを並行して実行したが、これに限定されるものではなく、これに代えて、例えば、動きベクトル処理フローＦｖの後に明るさヒストグラム処理フローＦｈを実行してもよいし、明るさヒストグラム処理フローＦｈの後に動きベクトル処理フローを実行してもよい。
【０１４４】
［変形例２−３］
上記実施の形態では、発光時間Ｔonm，Ｔomsにより発光量Ａｍ，Ａｓを制御したが、これに限定されるものではなく、これに代えて、例えば、図２１に示したように、発光輝度Ｉｍ，Ｉｓにより発光量Ａｍ，Ａｓを制御してもよい。また、発光時間Ｔonm，Ｔomsおよび発光輝度Ｉｍ，Ｉｓの両方により、発光量Ａｍ，Ａｓを制御してもよい。
【０１４５】
以上、いくつかの実施の形態および変形例を挙げて本技術を説明したが、本技術はこれらの実施の形態等には限定されず、種々の変形が可能である。
【０１４６】
なお、本技術は以下のような構成とすることができる。
【０１４７】
（１）フレームレート変換部と、
フレームレート変換された映像を表示する液晶表示部と、
間欠的に発光するバックライトと、
前記バックライトの発光タイミングが互いに異なる複数の動作モードを有するバックライト制御部と
を備えた
表示装置。
【０１４８】
（２）前記フレームレート変換部は、一の動作モードにおいて、フレーム画像と同じ複数のサブフレーム画像を生成することによりフレームレート変換を行い、
前記バックライト制御部は、前記一の動作モードにおいて、前記バックライトの一の発光期間の中心を、前記液晶表示部が前記複数のサブフレーム画像を表示する表示期間の中心よりも前に設定する
前記（１）に記載の表示装置。
【０１４９】
（３）前記一の発光期間の中心は、前記表示期間における、前記液晶表示部が前記複数のサブフレーム画像のうちの先頭のサブフレーム画像を表示する先頭表示期間内にある
前記（２）に記載の表示装置。
【０１５０】
（４）前記バックライト制御部は、前記一の動作モードにおいて、前記一の発光期間におけるメイン発光量以下のサブ発光量で発光する、前記一の発光期間とは異なるサブ発光期間をも設定する
前記（２）または（３）に記載の表示装置。
【０１５１】
（５）前記サブ発光期間の開始タイミングは、前記一の動作モードにおいて、前記一の発光期間の開始タイミングと、前記表示期間の半分の時間ずれている
前記（４）に記載の表示装置。
【０１５２】
（６）一連のフレーム画像における動きベクトルを検出する動きベクトル検出部を備え、
前記バックライト制御部は、前記動きベクトルに基づいて、前記メイン発光量および前記サブ発光量をそれぞれ制御する
前記（４）または（５）に記載の表示装置。
【０１５３】
（７）前記バックライト制御部は、前記フレーム画像の輝度情報に基づいて、前記メイン発光量および前記サブ発光量をそれぞれ制御する
前記（４）から（６）のいずれかに記載の表示装置。
【０１５４】
（８）前記バックライト制御部は、前記一の動作モードにおいて、前記一の発光期間の開始タイミングおよび前記サブ発光期間の開始タイミングをそれぞれ維持するように制御する
前記（６）または（７）に記載の表示装置。
【０１５５】
（９）前記バックライト制御部は、複数の前記表示期間にわたり、徐々に前記メイン発光量および前記サブ発光量をそれぞれ変化させるように制御する
前記（６）から（８）のいずれかに記載の表示装置。
【０１５６】
（１０）前記バックライト制御部は、前記メイン発光量および前記サブ発光量の和を一定に制御する
前記（６）から（９）のいずれかに記載の表示装置。
【０１５７】
（１１）前記バックライト制御部は、前記メイン発光量および前記サブ発光量を、前記発光期間の長さおよび前記サブ発光期間の長さによりそれぞれ制御する
前記（６）から（１０）のいずれか記載の表示装置。
【０１５８】
（１２）前記バックライト制御部は、前記メイン発光量および前記サブ発光量を、前記バックライトの発光輝度により制御する
前記（６）から（１１）のいずれかに記載の表示装置。
【０１５９】
（１３）前記フレームレート変換部は、前記一の動作モードとは異なる他の動作モードにおいて、フレーム画像と同じ複数のサブフレーム画像を生成することによりフレームレート変換を行い、
前記バックライト制御部は、前記他の動作モードにおいて、前記バックライトの他の発光期間の中心を、前記液晶表示部が前記複数のサブフレーム画像を表示する表示期間の中心よりも後に設定する
前記（２）から（１２）のいずれかに記載の表示装置。
【０１６０】
（１４）前記バックライト制御部は、前記他の動作モードにおいて、前記他の発光期間における他のメイン発光量以下の他のサブ発光量で発光する、前記他の発光期間とは異なる他のサブ発光期間をも設定し、前記他の発光期間の終了タイミングおよび前記他のサブ発光期間の終了タイミングをそれぞれ維持するように制御する
前記（１３）記載の表示装置。
【０１６１】
（１５）前記液晶表示部は線順次走査により表示を行い、
前記バックライトは、その線順次走査方向に分割された複数のサブ発光部を有し、
前記バックライト制御部は、前記サブ発光部ごとに前記一の発光期間の中心を設定し、
前記表示期間は、フレーム画像から生成された最初のサブフレーム画像に係る走査が、前記液晶表示部の各サブ発光部に対応する表示領域における線順次走査方向の中心である中心位置に達したタイミングからそれぞれ開始し、次のフレーム画像から生成された最初のサブフレーム画像に係る走査が、前記中心位置に達したタイミングにおいてそれぞれ終了する
前記（２）から（１４）のいずれかに記載の表示装置。
【０１６２】
（１６）前記液晶表示部は線順次走査により表示を行い、
前記表示期間は、フレーム画像から生成された最初のサブフレーム画像に係る走査が、前記液晶表示部における線順次走査方向の中心である中心位置に達したタイミングから開始し、次のフレーム画像から生成された最初のサブフレーム画像に係る走査が、前記中心位置に達したタイミングにおいて終了する
前記（２）から（１４）のいずれかに記載の表示装置。
【０１６３】
（１７）フレーム画像と同じ複数のサブフレーム画像を生成することによりフレームレート変換を行うフレームレート変換部と、
フレームレート変換された映像を表示する液晶表示部と、
間欠的に発光するバックライトと、
一の動作モードにおいて、前記バックライトの一の発光期間の中心を、前記液晶表示部が前記複数のサブフレーム画像を表示する表示期間の中心よりも前になるように、前記バックライトを制御するバックライト制御部と
を備えた
表示装置。
【０１６４】
（１８）前記一の発光期間の中心は、前記液晶表示部が、前記複数のサブフレーム画像のうちの先頭のサブフレーム画像を表示する先頭表示期間内にある
前記（１７）に記載の表示装置。
【０１６５】
（１９）発光タイミングを変更可能なバックライトが間欠的に発光し、フレームレート変換された映像を液晶表示部において表示する
表示方法。
【符号の説明】
【０１６６】
１，２…表示装置、１１，５１…映像信号処理部、１２，５２…フレームレート変換部、１３…モード設定部、１４，５４…バックライト駆動部、２０…表示駆動部、２１…タイミング制御部、２２…ゲートドライバ、２３…データドライバ、３０…液晶表示部、４０，４０Ｃ…バックライト、４２…ＬＥＤ、５５…動きベクトル検出部５５、Ａｈ，Ａｖ…変数、Ａｍ，Ａｓ…発光量、Ａtotal…全発光量、ＢＬＢ，ＢＬＴ，ＢＬ１〜ＢＬ８…発光部、Ｃｓ…保持容量素子、ＣＳＬ…保持容量線、Ｃ１，Ｃ２…ケース、ＧＣＬ…ゲート線、Ｆｈ…明るさヒストグラム処理フロー、Ｆｖ…動きベクトル処理フロー、Ｉon，Ｉｍ，Ｉｓ…輝度、ＬＣ…液晶素子、ＬＶ…画素信号レベル、ＬＶth…しきい値、Ｎ…動き量、Ｐix…画素、Ｐ１〜Ｐ８…表示期間、Ｐ１Ａ〜Ｐ８Ａ…期間、Ｓdisp，Ｓdisp1，Ｓdisp2，Ｓdisp3…映像信号、ＳＧＬ…データ線、Ｓｈ…明るさヒストグラム信号、Ｓmode…動作モード信号、Ｓｖ…動きベクトル信号、Ｓsync…同期信号、ｔｄ１，ｔｄ２…時間、ｔon，ｔonm，ｔons…発光時間、Ｔｒ…ＴＦＴ素子、Ｔ０，Ｔ１…周期（時間）、Ｖth…しきい値、Ｙ…比率、Ｚ１〜Ｚ８…領域。
【図１】
2013029563.tif 000003
【図２】
2013029563.tif 000004
【図３】
2013029563.tif 000005
【図４】
2013029563.tif 000006
【図５】
2013029563.tif 000007
【図６】
2013029563.tif 000008
【図７】
2013029563.tif 000009
【図８】
2013029563.tif 000010
【図９】
2013029563.tif 000011
【図１０】
2013029563.tif 000012
【図１１】
2013029563.tif 000013
【図１２】
2013029563.tif 000014
【図１３】
2013029563.tif 000015
【図１４】
2013029563.tif 000016
【図１５】
2013029563.tif 000017
【図１６】
2013029563.tif 000018
【図１７】
2013029563.tif 000019
【図１８】
2013029563.tif 000020
【図１９】
2013029563.tif 000021
【図２０】
2013029563.tif 000022
【図２１】
2013029563.tif 000023